(57)【要約】【課題】電流センサを効率的に配置することにより電流センサ付き端子台の小型化を図ること。【解決手段】電流センサ付き端子台１０は、絶縁基台１２と、絶縁基台１２に取り付け固定されている、それぞれ配線が結線ビス５４により接続される２つの端子部５０，５２を含み、２つの端子部５０，５２間に電流路を形成する平板状の導電金具１４と、導電金具１４の２つの端子部５０，５２の間の裏面側で２つの端子部５０，５２同士を互いに結ぶ方向に対して直交する方向に延設される延設部６４を有する、導電金具１４に電流が流通することにより発生する磁界を集磁する磁界制御部材６０と、磁界制御部材６０を導電金具１４から絶縁させつつ導電金具１４に一体的に取り付けられる絶縁部材６２と、導電金具１４の２つの端子部５０，５２の間の表面側に配置されている、磁界制御部材６０で集磁された磁界に基づいて流通電流を検出する電流センサ８２と、を備える。【選択図】図９
2017199474.tif 000002
【特許請求の範囲】
【請求項１】
絶縁基台と、
前記絶縁基台に取り付け固定されている、それぞれ配線が端子ネジにより接続される２つの端子部を含み、該２つの端子部間に電流路を形成する平板状の導電金具と、
前記導電金具の前記２つの端子部の間の裏面側で該２つの端子部同士を互いに結ぶ第１方向に対して直交する第２方向に延設される延設部を有する、前記導電金具に電流が流通することにより発生する磁界を集磁する磁界制御部材と、
前記磁界制御部材を前記導電金具から絶縁させつつ該導電金具に一体的に取り付けられる絶縁部材と、
前記導電金具の前記２つの端子部の間の表面側に配置されている、前記磁界制御部材で集磁された磁界に基づいて前記流通電流を検出する電流センサと、
を備えることを特徴とする電流センサ付き端子台。
【請求項２】
前記絶縁部材は、前記導電金具の表面側に形成される載置部を含み、
前記電流センサは、前記載置部上に載置されていることを特徴とする請求項１記載の電流センサ付き端子台。
【請求項３】
前記電流センサの配置位置は、端子台用記名板が取り付けられる位置の直下であることを特徴とする請求項１又は２記載の電流センサ付き端子台。
【請求項４】
前記絶縁部材は、前記磁界制御部材及び前記導電金具に対してインサート成形されている部材であることを特徴とする請求項１乃至３の何れか一項記載の電流センサ付き端子台。
【請求項５】
前記磁界制御部材は、前記導電金具を囲うように前記延設部と該延設部の両端から立設する立設部とを有するＵ字状に形成されている部材であることを特徴とする請求項１乃至４の何れか一項記載の電流センサ付き端子台。
【請求項６】
前記磁界制御部材は、前記延設部を有する平板状に形成されている部材であることを特徴とする請求項１乃至５の何れか一項記載の電流センサ付き端子台。
【発明の詳細な説明】
【技術分野】
【０００１】
本発明は、電流センサ付き端子台に関する。
【背景技術】
【０００２】
従来、電流センサが設けられた電流センサ付き端子台が知られている（例えば、特許文献１及び２参照）。電流センサ付き端子台は、絶縁性のある基台と、導電性のある導電金具と、電流センサと、を備えている。
【０００３】
上記特許文献１記載の電流センサ付き端子台において、導電金具は、それぞれ端子ネジを用いて配線が接続される２つの端子部を含み、それら２つの端子部間に電流路を形成するように平板状に形成されている。また、電流センサは、導電金具の電流路に電流が流れた際に発生する磁界を検出することにより、その電流路に流れる電流を検出する。この電流センサは、導電金具の裏面側下方の導電金具から離れた位置に配置されている。
【０００４】
また、上記特許文献２記載の電流センサ付き端子台において、基台は、段違いの複数の端子面を有していると共に、導電金具は、基台の各端子面に独立して設けられており、それぞれ電流路を形成するように平板状に形成されている。また、電流センサは、上段側の導電金具及び下段側の導電金具のそれぞれに対応して設けられており、各導電金具の電流路に電流が流れた際に発生する磁界を検出することにより、その電流路に流れる電流を検出する。上段側の導電金具に対応する電流センサは、基台の下段端子面の上方にありかつ基台の上段端子面に対する導電金具の上流側又は下流側にあるスペースに配置されている。また、下段側の導電金具に対応する電流センサは、基台の上段端子面の下方（裏面側）にありかつ基台の下段端子面に対する導電金具の下流側又は上流側にあるスペースに配置されている。
【先行技術文献】
【特許文献】
【０００５】
【特許文献１】特開２０１２−１３４９２号公報
【特許文献２】特開２００９−１４０６８０号公報
【発明の概要】
【発明が解決しようとする課題】
【０００６】
しかしながら、上記の如く、端子台の電流センサが、導電金具の裏面側下方に配置されるもの或いは基台の端子面の上方又は下方のスペースに配置されるものとすると、端子台全体の高さが高くなり、端子台の大型化を招いてしまう。
【０００７】
本発明は、上述した課題を解決するためになされたものであり、電流センサを効率的に配置することにより端子台の小型化を図ることが可能な電流センサ付き端子台を提供することを目的とする。
【課題を解決するための手段】
【０００８】
上記した課題を解決するためになされた本発明の電流センサ付き端子台は、絶縁基台と、前記絶縁基台に取り付け固定されている、それぞれ配線が端子ネジにより接続される２つの端子部を含み、該２つの端子部間に電流路を形成する平板状の導電金具と、前記導電金具の前記２つの端子部の間の裏面側で該２つの端子部同士を互いに結ぶ第１方向に対して直交する第２方向に延設される延設部を有する、前記導電金具に電流が流通することにより発生する磁界を集磁する磁界制御部材と、前記磁界制御部材を前記導電金具から絶縁させつつ該導電金具に一体的に取り付けられる絶縁部材と、前記導電金具の前記２つの端子部の間の表面側に配置されている、前記磁界制御部材で集磁された磁界に基づいて前記流通電流を検出する電流センサと、を備えることを特徴とするものである。
【０００９】
この構成によれば、電流センサを導電金具の端子部の下方などに配置することは不要であり、導電金具の表面上のスペースを効率的に電流センサの配置のために使うことができるので、電流センサ付き端子台の高さを抑えることができ、その電流センサ付き端子台の小型化を図ることができる。
【００１０】
また、電流センサ付き端子台は、前記絶縁部材が、前記導電金具の表面側に形成される載置部を含み、前記電流センサが、前記載置部上に載置されていることを特徴とするものである。
【００１１】
この構成によれば、電流センサを絶縁部材を介して導電金具の表面側に載置するので、電流センサの外部端子に接続される配線の取り回しを容易化することができ、その配線の取り付け作業や取り外し作業を容易に行うことができる。
【００１２】
また、電流センサ付き端子台は、前記電流センサの配置位置が、端子台用記名板が取り付けられる位置の直下であることを特徴とするものである。
【００１３】
この構成によれば、電流センサを配置するのに必要なスペースを別個独立して設けることは不要であり、導電金具の表面上のスペースを効率的に電流センサの配置のために使うことができ、その電流センサの配置を効率的なものとすることができる。
【００１４】
また、電流センサ付き端子台は、前記絶縁部材が、前記磁界制御部材及び前記導電金具に対してインサート成形されている部材であることを特徴とするものである。
【００１５】
この構成によれば、インサート成形された絶縁部材を介して磁界制御部材と導電金具との絶縁性を確保することができる。
【００１６】
また、電流センサ付き端子台は、前記磁界制御部材が、前記導電金具を囲うように前記延設部と該延設部の両端から立設する立設部とを有するＵ字状に形成されている部材であることを特徴とするものである。
【００１７】
この構成によれば、磁界制御部材を用いて導電金具の電流路に電流が流通した際に発生する磁界を集め易くしてその磁界検出精度を高めることができる。
【００１８】
また、電流センサ付き端子台は、前記磁界制御部材が、前記延設部を有する平板状に形成されている部材であることを特徴とするものである。
【００１９】
この構成によれば、単純な平板形状の磁界制御部材を用いて導電金具の電流路に電流が流通した際に発生する磁界を集めることができる。
【図面の簡単な説明】
【００２０】
【図１】本発明の一実施形態に係る電流センサ付き端子台の上面図である。
【図２】本実施形態の電流センサ付き端子台の正面図である。
【図３】本実施形態の電流センサ付き端子台の下面図である。
【図４】本実施形態の電流センサ付き端子台の右側面図である。
【図５】本実施形態の電流センサ付き端子台の左側面図である。
【図６】図１に示す電流センサ付き端子台のVI−VI断面図である。
【図７】図１に示す電流センサ付き端子台のVII−VII断面図である。
【図８】本実施形態の電流センサ付き端子台が備える導電金具及び電流センサを含む要部の斜視図である。
【図９】本実施形態の電流センサ付き端子台が備える導電金具及び電流センサを含む要部の上面図である。
【図１０】本実施形態の電流センサ付き端子台が備える導電金具及び電流センサを含む要部の正面図である。
【図１１】本実施形態の電流センサ付き端子台が備える導電金具及び電流センサを含む要部の下面図である。
【図１２】本実施形態の電流センサ付き端子台が備える導電金具及び電流センサを含む要部の右側面図である。
【図１３】本実施形態の電流センサ付き端子台が備える導電金具及び電流センサを含む要部の左側面図である。
【図１４】図９に示す要部のXIV−XIV断面である。
【図１５】図９に示す要部のXV−XV断面図である。
【図１６】本実施形態の電流センサ付き端子台が備える導電金具の斜視図である。
【図１７】本実施形態の電流センサ付き端子台が備える磁界制御部材の斜視図である。
【図１８】本発明の変形例の電流センサ付き端子台が備える磁界制御部材の斜視図である。
【発明を実施するための形態】
【００２１】
以下、本発明に係る電流センサ付き端子台の具体的な実施形態について、図面を参照しつつ説明する。
【００２２】
図１は、本発明の一実施形態に係る電流センサ付き端子台１０の上面図を示す。図２は、本実施形態の電流センサ付き端子台１０の正面図を示す。図３は、本実施形態の電流センサ付き端子台１０の下面図を示す。図４は、本実施形態の電流センサ付き端子台１０の右側面図を示す。図５は、本実施形態の電流センサ付き端子台１０の左側面図を示す。図６は、図１に示す電流センサ付き端子台１０のVI−VI断面図を示す。図７は、図１に示す電流センサ付き端子台１０のVII−VII断面図を示す。
【００２３】
図８は、本実施形態の電流センサ付き端子台１０が備える導電金具及び電流センサを含む要部の斜視図を示す。図９は、本実施形態の電流センサ付き端子台１０が備える導電金具及び電流センサを含む要部の上面図を示す。図１０は、本実施形態の電流センサ付き端子台１０が備える導電金具及び電流センサを含む要部の正面図を示す。図１１は、本実施形態の電流センサ付き端子台１０が備える導電金具及び電流センサを含む要部の下面図を示す。図１２は、本実施形態の電流センサ付き端子台１０が備える導電金具及び電流センサを含む要部の右側面図を示す。図１３は、本実施形態の電流センサ付き端子台１０が備える導電金具及び電流センサを含む要部の左側面図を示す。
【００２４】
図１４は、図９に示す要部のXIV−XIV断面図を示す。図１５は、図９に示す要部のXV−XV断面図を示す。図１６は、本実施形態の電流センサ付き端子台１０が備える導電金具の斜視図を示す。また、図１７は、本実施形態の電流センサ付き端子台１０が備える磁界制御部材の斜視図を示す。
【００２５】
本実施形態に係る電流センサ付き端子台（以下、単に端子台と称す。）１０は、入力側の配線と出力側の配線とを互いに接続させる中継端子台である。端子台１０は、例えばモータなどの電気機器に電源供給を行う配電盤などに設置されるものである。端子台１０は、配線に流れる電流を検出する電流センサが端子台本体に一体的に取り付けられたものである。端子台１０は、絶縁性を有する絶縁基台１２と、導電性を有する導電金具１４と、を備えている。
【００２６】
絶縁基台１２は、導電金具１４が取り付け固定される台座である。絶縁基台１２は、絶縁性及び耐熱性を有する樹脂などにより構成されている。絶縁基台１２の材質は、例えば、ＰＢＴ（ポリブチレンテレフタレート）などである。絶縁基台１２は、中間基台１６と、２つの側部基台１８，２０と、からなる。中間基台１６は、２つの側部基台１８，２０に挟まれる部位である。中間基台１６は、複数設けられていてよく、この場合、複数の中間基台１６は、側部基台１８と側部基台２０との間において直列的に並ぶように配置されていてよい。以下、本実施形態では、中間基台１６は、２つ設けられているものとする。側部基台１８，２０は、絶縁基台１２の両端に位置する部位である。
【００２７】
各中間基台１６は、導電金具１４を取り付け固定可能な形状に形成されている。各中間基台１６は、取り付けられた導電金具１４を隣接の中間基台１６又は側部基台１８側から絶縁するための立設壁２２を有している。具体的には、各中間基台１６の、複数の中間基台１６が並ぶ方向（以下、並設方向Ｘと称す。）の一方端は、導電金具１４を挿入して取り付けるために開口しているが、その並設方向Ｘの他方端は、立設壁２２により閉じられている。立設壁２２は、取り付けられた導電金具１４を支持しつつ隣接の中間基台１６又は側部基台１８に取り付けられた導電金具１４から絶縁するために設けられている。
【００２８】
側部基台１８は、導電金具１４を取り付け固定可能な形状に形成されていると共に、端子台１０を配電盤などに取り付け固定できるように厚肉のブロック状に形成されている。側部基台１８は、取り付けられた導電金具１４を支持するための立設壁２８を有している。具体的には、側部基台１８の並設方向Ｘの一方端は、導電金具１４を挿入して取り付けるために開口しているが、その並設方向Ｘの他方端は、立設壁２８により閉じられている。立設壁２８は、取り付けられた導電金具１４を支持するために設けられている。
【００２９】
また、各中間基台１６及び側部基台１８はそれぞれ、並設方向Ｘに直交する方向（以下、延在方向Ｙと称す。）において隔壁２４，２６により区切られた３つの室を有している。これらの３つの室のうち延在方向Ｙの両端の室はそれぞれ、外部配線が接続されるために用いられるものであって、延在方向外側において開口している。また、両側の室に挟まれたすなわち隔壁２４，２６に挟まれた中間の室は、後述の電流センサを収容するために必要な空間である。
【００３０】
上記した中間の室の上部（具体的には、上記した並設方向Ｘ及び延在方向Ｙに直交する方向（以下、高さ方向Ｚと称す。）の端部）には、記名板（図示せず）を挿入可能な板挿入部２９が設けられている。板挿入部２９に挿入される記名板は、端子台１０のための、例えば両側の室において接続されている外部配線の名称やその外部配線の接続先の名称などが記入又は印刷される板である。板挿入部２９は、例えば、立設壁２２，２８の、中間の室に対応する部分の高さが両側の室に対応する部分の高さに比して低くなるように形成されていればよい。
【００３１】
側部基台２０は、中間基台１６及び側部基台１８とは異なり、導電金具１４を取り付け固定可能な形状に形成されていない。側部基台２０は、端子台１０を配電盤などに取り付け固定できるように厚肉のブロック状に形成されている。側部基台２０は、隣接の中間基台１６に取り付けられた導電金具１４を支持するための立設壁３０を有している。
【００３２】
側部基台１８，２０には、高さ方向Ｚに空いた取付穴３２が一つずつ設けられている。取付穴３２は、端子台１０を配電盤などに取り付け固定するのに必要な図示しないボルトが挿入される穴である。端子台１０は、複数の中間基台１６を挟んだ側部基台１８，２０それぞれの取付穴３２にボルトが挿入されて取り付けられることにより配電盤などに取り付け固定される。
【００３３】
中間基台１６及び側部基台１８，２０にはそれぞれ、並設方向Ｘに空いた挿入穴３４が設けられている。また、側部基台１８には、側部基台１８の挿入穴３４に連通するナット収容穴３６が設けられている。中間基台１６及び側部基台１８，２０の各挿入穴３４は、中間基台１６と側部基台１８と側部基台２０とで互いに連通する位置に設けられている。中間基台１６の挿入穴３４、側部基台１８の挿入穴３４、及び側部基台２０の挿入穴３４は、複数（本実施例では、２個）設けられ、互いに同数ずつ設けられている。また、ナット収容穴３６は、側部基台１８の挿入穴３４に対応した数だけ設けられている。
【００３４】
挿入穴３４は、中間基台１６と側部基台１８と側部基台２０とを互いに連結するのに必要な連結シャフト３８が挿入される穴である。また、ナット収容穴３６は、挿入穴３４に挿入された連結シャフト３８に締結されるナット４０が収容される穴である。絶縁基台１２は、側部基台２０側から挿入穴３４に挿入された連結シャフト３８がナット収容穴３６に収容されたナット４０に締結されることで、中間基台１６と側部基台１８と側部基台２０とが一体化した状態に形成される。
【００３５】
導電金具１４は、絶縁基台１２に取り付け固定される導電板である。導電金具１４は、銅や黄銅，アルミニウムなどの金属により構成されている。導電金具１４は、絶縁基台１２の中間基台１６及び側部基台１８ごとに設けられており、中間基台１６と側部基台１８との合計数に対応した数だけ設けられている。具体的には、導電金具１４は、中間基台１６及び側部基台１８が３個設けられている場合は、３個設けられている。各導電金具１４は、平板状に形成された板状部材であって、ほぼ長方形状に形成されている。導電金具１４は、中間基台１６及び側部基台１８に一つずつ取り付け固定される。
【００３６】
各導電金具１４には、２つの端子部５０，５２が設けられている。端子部５０，５２は、入力側配線又は出力側配線である外部配線が接続される部位である。端子部５０，５２は、各導電金具１４の長手方向（すなわち、上記の延在方向Ｙ）の両側端部に設けられている。端子部５０は、絶縁基台１２の中間基台１６及び側部基台１８の一端側の室に収容される部位である。また、端子部５２は、絶縁基台１２の中間基台１６及び側部基台１８の他端側の室に収容される部位である。導電金具１４の２つの端子部５０，５２の間には、後述の電流センサなどを配置可能なスペースが形成されている。このスペースは、絶縁基台１２の中間基台１６及び側部基台１８の中間の室に収容される部位である。
【００３７】
各端子部５０，５２には、結線ビス５４が挿通されるネジ穴５６が形成されている。結線ビス５４は、端子部５０，５２に取り付けられる、外部配線を導電金具１４に接続させる端子ネジである。ネジ穴５６を形成する内壁には、結線ビス５４が螺合される雌ネジが形成されている。端子部５０，５２は、結線ビス５４がネジ穴５６に挿入されて外部配線の導体部を挟んだ状態で螺合されることにより、その外部配線に接続する。各導電金具１４は、両側端部の２つの端子部５０，５２の間に、一方の外部配線側から他方の外部配線側へ電流が流通する電流路を形成する。各導電金具１４は、両側端部それぞれの端子部５０，５２に外部配線が結線ビス５４により接続されることで、電流路を介してそれら２つの外部配線同士を互いに接続させる。
【００３８】
各導電金具１４の、両側端部の２つの端子部５０，５２の間（すなわち、中間部）には、他の部位（例えば、端部）に比して幅を狭める切欠５８が形成されている。切欠５８は、導電金具１４の短手方向（すなわち、上記の並設方向Ｘ）の両側それぞれに設けられている。切欠５８は、導電金具１４に電流が流通することにより発生する磁界を集磁するための後述の磁界制御部材をその導電金具１４に一体的に取り付けて、その磁界制御部材が取り付けられた導電金具１４を絶縁基台１２に効率的に配置して取り付け固定するために必要な部位である。
【００３９】
端子台１０は、また、磁界制御部材６０と、絶縁部材６２と、を備えている。磁界制御部材６０は、導電金具１４の電流路に電流が流通することにより発生する磁界を集磁するコア部材である。磁界制御部材６０は、例えばニッケルや酸化鉄，酸化クロムなどの磁性体材質により構成されている。磁界制御部材６０は、導電金具１４を囲うようにＵ字状に形成されており、延設部６４と２つの立設部６６，６８とを有している。
【００４０】
延設部６４は、導電金具１４（具体的には、導電金具１４の２つの端子部５０，５２の間の位置）の裏面側に配置されている。延設部６４は、導電金具１４の両側端部の２つの端子部５０，５２の間の裏面側でその２つの端子部５０，５２同士を互いに結ぶ方向（以下、電流流通方向と称す。）に対して直交する方向（以下、直交方向と称す。）に延設される部位である。
【００４１】
尚、この電流流通方向は、絶縁基台１２における上記の延在方向Ｙに一致する。また、この直交方向は、絶縁基台１２における上記の並設方向Ｘに一致する。以下、電流流通方向Ｙと、直交方向Ｘと、それぞれ称す。延設部６４は、その直交方向Ｘの長さが、導電金具１４の切欠５８が設けられている中間部の幅よりも長く、かつ、導電金具１４の切欠５８が設けられていない端部の幅よりも短くなるように形成されている。
【００４２】
立設部６６，６８は、延設部６４を挟むようにその延設部６４の直交方向Ｘの両側に対応して設けられる部位であって、その延設部６４に一体形成されている。立設部６６，６８は、延設部６４の直交方向Ｘの両端から上方に立設する。立設部６６，６８は、導電金具１４の電流路に電流が流通した際に発生する磁界を集め易くしてその磁界検出精度を高めるために設けられている。磁界制御部材６０の延設部６４及び立設部６６，６８はそれぞれ、その電流流通方向Ｙの幅が、切欠５８の電流流通方向Ｙの幅よりも小さくなるように形成されている。
【００４３】
絶縁部材６２は、磁界制御部材６０を導電金具１４から絶縁させる部材であって、磁界制御部材６０と導電金具１４との間に介在する。絶縁部材６２は、ＰＢＴやポリカーボネートなどの樹脂材料により構成されている。絶縁部材６２は、磁界制御部材６０を導電金具１４に一体的に取り付けるための形状を有している。絶縁部材６２は、導電金具１４と磁界制御部材６０との絶縁距離（すなわち、沿面距離）を確保する形状に形成されている。絶縁部材６２は、導電金具１４及び磁界制御部材６０に対してインサート成形されているものである。尚、絶縁部材６２は、磁界制御部材６０と導電金具１４との絶縁性を確保することができるものであれば、磁界制御部材６０を導電金具１４に一体化させるように複数の分離した部材を組み合わせたものであってもよい。
【００４４】
絶縁部材６２は、切欠嵌合部７０と、裏面部７２と、載置部７４と、カバー部７６と、を有している。切欠嵌合部７０は、導電金具１４の切欠５８に嵌る部位であって、高さ方向Ｚに立設する部位である。切欠嵌合部７０は、絶縁部材６２の上記直交方向Ｘの両側それぞれに設けられている。切欠嵌合部７０には、磁界制御部材６０の立設部６６，６８が挿入される挿入穴７８，８０が形成されている。
【００４５】
裏面部７２は、導電金具１４（具体的には、導電金具１４の２つの端子部５０，５２の間の位置）の裏面側に形成される部位であって、磁界制御部材６０の延設部６４と導電金具１４の裏面との間に介在する部位である。載置部７４は、導電金具１４（具体的には、導電金具１４の２つの端子部５０，５２の間の位置）の表面側に形成される部位であって、後述の電流センサが載置される部位である。また、カバー部７６は、磁界制御部材６０の延設部６４を下方から覆う部位であって、磁界制御部材６０が外部に露出するのを防止するための部材である。
【００４６】
端子台１０は、また、電流センサ８２を備えている。電流センサ８２は、導電金具１４の２つの端子部５０，５２に接続された外部配線の間に流通する電流を検出するセンサである。電流センサ８２は、並設方向Ｘに並んだ導電金具１４ごとに設けられており、導電金具１４の数に対応した数だけ設けられている。各電流センサ８２は、対応する導電金具１４の両側端部の２つの端子部５０，５２の間の中間部位に絶縁部材６２を介して設置されている。各電流センサ８２は、絶縁基台１２の中間基台１６及び側部基台１８の中間の室に収容されており、絶縁部材６２の載置部７４上に載置されている。
【００４７】
電流センサ８２は、基板８４上に配置された磁気抵抗素子８６を有している。尚、電流センサ８２は、ローパスフィルタなどのフィルタ回路を含んでよい。磁気抵抗素子８６は、磁界（磁束）に応じた信号を出力する素子である。電流センサ８２は、正側電源端子（例えば、＋５ボルト）と負側電源端子（例えば、グランド端子）と出力端子と正側測定用端子と負側測定用端子とを含んでいる。磁気抵抗素子８６は、正側測定用端子と負側測定用端子との間に介在されている。正側測定用端子及び負側測定用端子は、導電金具１４に流通する電流により発生する磁界を測定するための端子であって、具体的には、磁界制御部材６０で集磁された磁界を測定するための端子である。
【００４８】
上記した構成を有する端子台１０においては、絶縁部材６２が、磁界制御部材６０を平板状の導電金具１４に一体的に取り付けるための部材であって、その絶縁部材６２の載置部７４が導電金具１４の表面側に形成されている。また、電流センサ８２が、導電金具１４の両側端部の２つの端子部５０，５２の間の中間部位において、絶縁部材６２の載置部７４上に載置されており、絶縁基台１２の中間基台１６及び側部基台１８それぞれの中間の室に収容されている。この中間の室の上部にある板挿入部２９には、端子台１０の記名板が取り付けられる。
【００４９】
かかる構造においては、絶縁部材６２を用いて磁界制御部材６０を平板状の導電金具１４に一体的に取り付けることができる。このため、磁界制御部材６０の導電金具１４への組み付け後、その磁界制御部材６０の取り扱いを容易化することができる。また、磁界制御部材６０と導電金具１４との位置関係の所望状態からのズレを無くすことができるので、電流センサ８２による磁界検出精度を高めることができる。
【００５０】
また、上記の構造においては、電流センサ８２を、絶縁部材６２の、導電金具１４の表面側に形成される載置部７４上に載置しつつ、板挿入部２９に記名板が取り付けられる絶縁基台１２の中間室に収容することができる。このため、電流センサ８２の組み付け作業を容易に行うことができると共に、電流センサ８２の組み付け後、その電流センサ８２の外部端子に接続される配線の取り回しを容易化することができ、その配線の取り付け作業や取り外し作業を容易に行うことができる。
【００５１】
また、電流センサ８２を導電金具１４の２つの端子部５０，５２の間の中間部位に配置するので、電流センサ８２を端子部５０，５２の下方又は上方に配置することは不要であり、導電金具１４の表面上のスペースを効率的に電流センサ８２の配置のために使うことができると共に、端子台１０の高さを抑えることができる。更に、電流センサ８２を端子台１０の記名板が取り付けられる位置の直下に配置するので、電流センサ８２を配置するのに必要なスペースを別個独立して設けることは不要であり、導電金具１４の表面上のスペースを効率的に電流センサ８２の配置のために使うことができ、その電流センサ８２の配置を効率的なものとすることができる。従って、本実施形態の端子台１０によれば、電流センサ８２を効率的に配置することで端子台１０の小型化を図ることができる。
【００５２】
ところで、上記の実施形態においては、結線ビス５４が特許請求の範囲に記載した「端子ネジ」に、導電金具１４の電流流通方向Ｙが特許請求の範囲に記載した「第１方向」に、導電金具１４の直交方向Ｘが特許請求の範囲に記載した「第２方向」に、それぞれ相当している。
【００５３】
以上詳述したことから明らかなように、本実施形態の電流センサ付き端子台１０は、絶縁基台１２と、絶縁基台１２に取り付け固定されている、それぞれ配線が結線ビス５４により接続される２つの端子部５０，５２を含み、該２つの端子部５０，５２間に電流路を形成する平板状の導電金具１４と、導電金具１４の２つの端子部５０，５２の間の裏面側で２つの端子部５０，５２同士を互いに結ぶ電流流通方向Ｙに対して直交する直交方向Ｘに延設される延設部６４を有する、導電金具１４に電流が流通することにより発生する磁界を集磁する磁界制御部材６０と、磁界制御部材６０を導電金具１４から絶縁させつつ導電金具１４に一体的に取り付けられる絶縁部材６２と、導電金具１４の２つの端子部５０，５２の間の表面側に配置されている、磁界制御部材６０で集磁された磁界に基づいて流通電流を検出する電流センサ８２と、を備えることを特徴とするものである。
【００５４】
この構成によれば、電流センサ８２を導電金具１４の端子部５０，５２の下方などに配置することは不要であり、導電金具１４の表面上のスペースを効率的に電流センサ８２の配置のために使うことができるので、電流センサ付き端子台１０の高さを抑えることができ、その電流センサ付き端子台１０の小型化を図ることができる。
【００５５】
また、電流センサ付き端子台１０は、絶縁部材６２が、導電金具１４の表面側に形成される載置部７４を含み、電流センサ８２が、載置部７４上に載置されていることを特徴とするものである。この構成によれば、電流センサ８２を絶縁部材６２を介して導電金具１４の表面側に載置するので、電流センサ８２の外部端子に接続される配線の取り回しを容易化することができ、その配線の取り付け作業や取り外し作業を容易に行うことができる。
【００５６】
また、電流センサ付き端子台１０は、電流センサ８２の配置位置が、端子台用記名板が取り付けられる位置の直下であることを特徴とするものである。この構成によれば、電流センサ８２を配置するのに必要なスペースを別個独立して設けることは不要であり、導電金具１４の表面上のスペースを効率的に電流センサ８２の配置のために使うことができ、その電流センサ８２の配置を効率的なものとすることができる。
【００５７】
また、電流センサ付き端子台１０は、絶縁部材６２が、磁界制御部材６０及び導電金具１４に対してインサート成形されている部材であることを特徴とするものである。この構成によれば、インサート成形されている絶縁部材６２を介して磁界制御部材６０と導電金具１４との絶縁性を確保することができる。
【００５８】
また、電流センサ付き端子台１０は、磁界制御部材６０が、導電金具１４を囲うように延設部６４と延設部６４の両端から立設する立設部６６，６８とを有するＵ字状に形成されている部材であることを特徴とするものである。この構成によれば、磁界制御部材６０を用いて導電金具１４の電流路に電流が流通した際に発生する磁界を集め易くしてその磁界検出精度を高めることができる。
【００５９】
尚、本発明は、上述した実施形態や変形例に限定されるものではなく、本発明の趣旨を逸脱しない範囲で種々の変更を施すことが可能である。
【００６０】
例えば、上記の実施形態においては、磁界制御部材６０が、延設部６４と立設部６６，６８とを有するＵ字状に形成された部材である。しかし、本発明はこれに限定されるものではなく、磁界制御部材６０は、導電金具１４の電流路に電流が流通した際に発生する磁界を集磁することができれば、立設部６６，６８の無い延設部６４を有する平板状に形成された部材であってよい。すなわち、電流センサ付き端子台１０は、磁界制御部材６０が、図１８に示す如く、延設部６４を有する平板状に形成されている部材であることとしてもよい。尚、この変形例は、導電金具１４に流れる電流が大電流（例えば、２００アンペア以上など）である場合に好適である。これは、大電流では電流の検出誤差が少ないからである。この変形例の構成によれば、単純な平板形状の磁界制御部材を用いて導電金具の電流路に電流が流通した際に発生する磁界を集めることができる。
【００６１】
また、上記の実施形態は、電流センサ８２を備える電流センサ付き端子台１０の例である。しかし、この電流センサ付き端子台１０は、更に、導電金具１４の温度を検出するサーミスタを備えるものとしてもよい。このサーミスタは、導電金具１４に取り付けられる。すなわち、電流センサ付き端子台１０は、導電金具１４に取り付けられている、温度検出を行うサーミスタを備えることとしてもよい。この構成によれば、サーミスタを用いて導電金具の発熱を検知すると共に、更には結線ビス５４の緩みなどを検知することが可能となる。
【符号の説明】
【００６２】
１０  電流センサ付き端子台
１２  絶縁基台
１４  導電金具
５０，５２  端子部
５４  結線ビス
６０  磁界制御部材
６２  絶縁部材
６４  延設部
６６，６８  立設部
７０  切欠嵌合部
７２  裏面部
７４  載置部
７６  カバー部
８２  電流センサ
８６  磁気抵抗素子
【図１】
2017199474.tif 000003
【図２】
2017199474.tif 000004
【図３】
2017199474.tif 000005
【図４】
2017199474.tif 000006
【図５】
2017199474.tif 000007
【図６】
2017199474.tif 000008
【図７】
2017199474.tif 000009
【図８】
2017199474.tif 000010
【図９】
2017199474.tif 000011
【図１０】
2017199474.tif 000012
【図１１】
2017199474.tif 000013
【図１２】
2017199474.tif 000014
【図１３】
2017199474.tif 000015
【図１４】
2017199474.tif 000016
【図１５】
2017199474.tif 000017
【図１６】
2017199474.tif 000018
【図１７】
2017199474.tif 000019
【図１８】
2017199474.tif 000020